(57)【要約】  本発明に係るディスク装置は、ディスクカートリッジに収納されたディスクに対して情報の記録又は再生を行うディスク装置であって、ディスクカートリッジは、前面にディスクを挿入する開口部が形成された筐体と、筐体の開口部を開閉可能な蓋とを備え、蓋は、筐体の側面に沿って移動可能なスライダと、開口部を塞ぐシャッタと、スライダとシャッタとを回動自在に連結するヒンジ部とを備え、ディスク装置は、ディスクカートリッジがディスク装置内に挿入されるとき、スライダに接触してスライダの挿入方向の移動を規制するストッパと、ストッパがスライダの移動を規制した状態で更に筐体が挿入方向に移動され、シャッタが筐体に押されてヒンジ部を中心に回動するとき又は回動する前に、シャッタと筐体との接触部からヒンジ部を離すカム部とを備える。
2014171137.tif 000002
【特許請求の範囲】
【請求項１】
ディスクカートリッジに収納されたディスクに対して情報の記録又は再生を行うディスク装置であって、
前記ディスクカートリッジは、
前面にディスクを挿入する開口部が形成された筐体と、
前記筐体の開口部を開閉可能な蓋と、
を備え、
前記蓋は、
前記筐体の側面に沿って移動可能なスライダと、
前記開口部を塞ぐシャッタと、
前記スライダと前記シャッタとを回動自在に連結するヒンジ部と、
を備え、
前記ディスク装置は、
前記ディスクカートリッジが前記ディスク装置内に挿入されるとき、前記スライダに接触して前記スライダの挿入方向の移動を規制するストッパと、
前記ストッパが前記スライダの前記挿入方向の移動を規制した状態で更に前記筐体が前記挿入方向に移動され、前記シャッタが前記筐体に押されて前記ヒンジ部を中心に回動するとき又は当該回動する前に、前記シャッタと前記筐体との接触部から前記ヒンジ部を離すカム部と、
を備える、ディスク装置。
【請求項２】
前記筐体は、当該筐体が前記挿入方向に移動され、前記カム部により前記ヒンジ部が前記接触部から離れる方向に移動するとき又は当該移動した後、当該ヒンジ部が移動する方向に前記スライダを移動させる傾斜面を備える、請求項１に記載のディスク装置。
【請求項３】
前記傾斜面は、前記挿入方向に向かうに従い前記筐体の厚み方向であって前記筐体の内側から外側に向けて傾斜する、請求項２に記載のディスク装置。
【請求項４】
前記筐体は、前記傾斜面の頂部から前記挿入方向の上流側に向けて延在する平坦面を備え、
前記シャッタが前記開口部を塞いだ状態のとき、前記平坦面と前記スライダの外表面の一部とが略面一にある、請求項２又は３に記載のディスク装置。
【請求項５】
前面にディスクを挿入する開口部が形成された筐体と、前記筐体の開口部を開閉可能な蓋とを備えるディスクカートリッジであって、
前記蓋は、
前記筐体の側面に沿って移動可能なスライダと、
前記開口部を塞ぐシャッタと、
前記スライダと前記シャッタとを回動自在に連結するヒンジ部と、
を備え、
前記スライダが前記開口部から離れる奥行き方向に移動するとき、前記シャッタが前記筐体に押されて前記ヒンジ部を中心に回動し、前記開口部が開口するように構成されるとともに、前記シャッタと前記筐体との接触部から前記ヒンジ部を離すことができるように構成された、ディスクカートリッジ。
【請求項６】
前記筐体は、前記スライダが前記奥行き方向に移動するとき、前記接触部から前記ヒンジ部が離れる方向に前記スライダを移動させる傾斜面を備える、請求項５に記載のディスクカートリッジ。
【請求項７】
前記傾斜面は、前記奥行き方向に向かうに従い前記筐体の厚み方向であって前記筐体の内側から外側に向けて傾斜する、請求項６に記載のディスクカートリッジ。
【請求項８】
前記筐体は、前記傾斜面の頂部から前記奥行き方向の下流側に向けて延在する平坦面を備え、
前記シャッタが前記開口部を塞いだ状態のとき、前記平坦面と前記スライダの外表面の一部とが略面一にある、請求項６又は７に記載のディスクカートリッジ。
【請求項９】
前記シャッタは、前記開口部を塞いだ状態のとき、前記筐体が厚み方向に撓むのを抑える突っ張り部として機能する、請求項５〜８のいずれか１つに記載のディスクカートリッジ。
【請求項１０】
前記シャッタ又は筐体のいずれか一方には、凹部が設けられ、
前記シャッタ又は筐体のいずれか他方には、前記凹部に挿入可能な凸部が設けられ、
前記シャッタが前記開口部を塞いだ状態のとき、前記凹部と対向する位置に前記凸部が位置する、請求項９に記載のディスクカートリッジ。
【請求項１１】
前記シャッタが前記開口部を塞いだ状態で前記筐体の厚み方向に力が加わったとき、前記凸部が前記凹部に侵入し、前記シャッタの移動が抑制される、請求項１０に記載のディスクカートリッジ。
【請求項１２】
前記シャッタの前記開口部を塞ぐ側の面には、前記筐体の厚み方向に延在するようにリブが設けられている、請求項５〜１１のいずれか１つに記載のディスクカートリッジ。
【発明の詳細な説明】
【技術分野】
【０００１】
本開示は、ディスクを収納するディスクカートリッジ及び当該ディスクカートリッジに収納されたディスクに対して情報の記録又は再生を行うディスク装置に関する。
【背景技術】
【０００２】
従来、ディスクなどの情報記録媒体を収納するカートリッジとして、例えば、図２９及び図３０に示すようなカートリッジが知られている（例えば、特許文献１又は２参照）。【０００３】
図２９に示すように、従来のカートリッジは、筐体１０１と、筐体１０１の前方を覆う蓋１０２とを備えている。筐体１０１の内部には、図３０に示すように磁気テープ１０３が収納されている。蓋１０２は、磁気テープ１０３を露出させることができるように、回動軸１０４を中心に回動自在に構成されている。
【先行技術文献】
【特許文献】
【０００４】
【特許文献１】実開昭６３−０２４７７８号公報
【特許文献２】実公平６−２７０３３号公報
【発明の概要】
【発明が解決しようとする課題】
【０００５】
ディスク装置のような記録再生装置においては、装置の薄型化及び小型化が求められている。磁気テープ１０３に対して情報の記録又は再生を行う従来の記録再生装置においては、図３０に示すように、磁気テープ１０３が露出するように蓋１０２を回動させた状態で、情報の記録又は再生を行う。このため、蓋１０２の回動動作を阻害しないように、装置内に蓋１０２が回動する空間を確保する必要がある。したがって、従来の記録再生装置においては、装置の薄型化及び小型化が図れないという課題がある。【０００６】
本開示は、装置の薄型化及び小型化を図ることができるディスクカートリッジ及びディスク装置を提供する。
【課題を解決するための手段】
【０００７】
本開示におけるディスク装置は、
ディスクカートリッジに収納されたディスクに対して情報の記録又は再生を行うディスク装置であって、
ディスクカートリッジは、
前面にディスクを挿入する開口部が形成された筐体と、
筐体の開口部を開閉可能な蓋と、
を備え、
蓋は、
筐体の側面に沿って移動可能なスライダと、
開口部を塞ぐシャッタと、
スライダと前記シャッタとを回動自在に連結するヒンジ部と、
を備え、
ディスク装置は、
ディスクカートリッジがディスク装置内に挿入されるとき、スライダに接触してスライダの挿入方向の移動を規制するストッパと、
ストッパがスライダの挿入方向の移動を規制した状態で更に筐体が挿入方向に移動され、シャッタが筐体に押されてヒンジ部を中心に回動するとき又は当該回動する前に、シャッタと筐体との接触部からヒンジ部を離すカム部と、
を備える。【０００８】
本開示におけるディスクカートリッジは、前面にディスクを挿入する開口部が形成された筐体と、筐体の開口部を開閉可能な蓋とを備えるディスクカートリッジであって、
蓋は、
筐体の側面に沿って移動可能なスライダと、
開口部を塞ぐシャッタと、
スライダとシャッタとを回動自在に連結するヒンジ部と、
を備え、
スライダが開口部から離れる奥行き方向に移動するとき、シャッタが筐体に押されてヒンジ部を中心に回動し、開口部が開口するように構成されるとともに、シャッタと筐体との接触部からヒンジ部を離すことが可能できるように構成されている。
【発明の効果】
【０００９】
本開示におけるディスクカートリッジ及びディスク装置は、装置の薄型化及び小型化を図ることができる。
【図面の簡単な説明】
【００１０】
本開示のこれらと他の目的と特徴は、添付された図面についての好ましい実施の形態に関連した次の記述から明らかになる。この図面においては、
【図１】図１は、実施の形態にかかるディスクカートリッジの斜視図であって、蓋が閉じた状態を示す図であり、
【図２】図２は、実施の形態にかかるディスクカートリッジの斜視図であって、蓋が開いた状態を示す図であり、
【図３】図３は、図１の蓋の分解斜視図であり、
【図４Ａ】図４Ａは、図１の蓋が筐体の開口部を閉じた状態を模式的に示す側面図であり、
【図４Ｂ】図４Ｂは、図１の蓋が筐体の開口部を開いた状態を模式的に示す側面図であり、
【図５】図５は、図１の蓋が備えるシャッタの構成の一例を示す縦断面図であり、
【図６】図６は、図１のディスクカートリッジの筐体を構成する下ケースにシャッタを取り付けた状態を示す斜視図であって、ロックアームのフックとシャッタのフックとが係合していない状態を示す図であり、
【図７】図７は、図１のディスクカートリッジの筐体を構成する下ケースにシャッタを取り付けた状態を示す斜視図であって、ロックアームのフックとシャッタのフックとが係合している状態を示す図であり、
【図８】図８は、図１のディスクカートリッジの筐体の分解斜視図であり、
【図９】図９は、シャッタを付勢するねじりコイルばねの付勢力を増加させる付勢力増加部の構成の一例を示す側面図であり、
【図１０】図１０は、図１のディスクカートリッジに収納されたディスクに対して情報の記録又は再生を行うディスク装置の斜視図であり、
【図１１】図１１は、図１０のディスク装置内に図１のディスクカートリッジが挿入される途中の状態を示す斜視図であり、
【図１２】図１２は、図１０のディスク装置内に図１のディスクカートリッジが挿入された状態を示す斜視図であり、
【図１３】図１３は、図１０のディスク装置が備える下ケースの斜視図であり、
【図１４】図１４は、図１のディスクカートリッジが備える下ケースの底面図であり、
【図１５】図１５は、図１０のディスク装置内に図１のディスクカートリッジが挿入されるときにおいて、ロックアームのフックとシャッタのフックとが係合した状態を示す斜視図であり、
【図１６】図１６は、図１０のディスク装置内に図１のディスクカートリッジが挿入されるときにおいて、ロックアームのフックとシャッタのフックとの係合が解除された状態を示す斜視図であり、
【図１７】図１７は、図１０のディスク装置内に図１のディスクカートリッジが挿入される途中の状態を一部断面で示す側面図であり、
【図１８】図１８は、図１０のディスク装置内に図１のディスクカートリッジが挿入される途中の状態を一部断面で示す側面図であり、
【図１９】図１９は、図１７に示す状態から更に図１０のディスク装置内に図１のディスクカートリッジが挿入された状態を一部断面で示す側面図であり、
【図２０】図２０は、図１８に示す状態から更に図１０のディスク装置内に図１のディスクカートリッジが挿入された状態を一部断面で示す側面図であり、
【図２１Ａ】図２１Ａは、スライダがストッパに接触する前の状態を模式的に示す側面図であり、
【図２１Ｂ】図２１Ｂは、スライダがストッパに接触し、カム部によりヒンジピンが押し上げられた状態を模式的に示す側面図であり、
【図２２】図２２は、図１０のディスク装置内から図１のディスクカートリッジが排出されるときにおいて、板バネとスライダとが接触した瞬間の状態を示す側面図であり、
【図２３】図２３は、図２２に示す状態から更に図１のディスクカートリッジが排出され、板バネに付勢されてスライダが下降した状態を示す側面図であり、
【図２４】図２４は、図１０のディスク装置に対して図１のディスクカートリッジを挿入及び排出するときのスライダと板バネとの位置関係を模式的に示す側面図であり、
【図２５】図２５は、第２実施の形態にかかるディスクカートリッジの斜視図であって、蓋が閉じた状態を示す図であり、
【図２６】図２６は、図２５のディスクカートリッジの蓋が開いた状態を示す斜視図であって、当該ディスクカートリッジ内にディスクが収納された状態を示す図であり、
【図２７】図２６は、図２５のディスクカートリッジの蓋が開いた状態を示す斜視図であって、当該ディスクカートリッジ内にディスクが収納されていない状態を示す図であり、
【図２８】図２８は、図２５の蓋が備えるシャッタが筐体の開口部を開いた状態を模式的に示す一部拡大断面図であり、
【図２９】図２９は、従来のカートリッジの蓋が閉じた状態を示す斜視図であり、
【図３０】図３０は、従来のカートリッジの蓋が開いた状態を示す斜視図である。
【発明を実施するための形態】
【００１１】
本開示の第１態様によれば、ディスクカートリッジに収納されたディスクに対して情報の記録又は再生を行うディスク装置であって、
前記ディスクカートリッジは、
前面にディスクを挿入する開口部が形成された筐体と、
前記筐体の開口部を開閉可能な蓋と、を備え、
前記蓋は、
前記筐体の側面に沿って移動可能なスライダと、
前記開口部を塞ぐシャッタと、
前記スライダと前記シャッタとを回動自在に連結するヒンジ部と、
を備え、
前記ディスク装置は、
前記ディスクカートリッジが前記ディスク装置内に挿入されるとき、前記スライダに接触して前記スライダの挿入方向の移動を規制するストッパと、
前記ストッパが前記スライダの前記挿入方向の移動を規制した状態で更に前記筐体が前記挿入方向に移動され、前記シャッタが前記筐体に押されて前記ヒンジ部を中心に回動するとき又は当該回動する前に、前記シャッタと前記筐体との接触部から前記ヒンジ部を離すカム部と、
を備える、ディスク装置を提供する。
【００１２】
本開示の第２態様によれば、前記筐体は、当該筐体が前記挿入方向に移動され、前記カム部により前記ヒンジ部が前記接触部から離れる方向に移動するとき又は当該移動した後、当該ヒンジ部が移動する方向に前記スライダを移動させる傾斜面を備える、第１態様に記載のディスク装置を提供する。
【００１３】
本開示の第３態様によれば、前記傾斜面は、前記挿入方向に向かうに従い前記筐体の厚み方向であって前記筐体の内側から外側に向けて傾斜する、第２態様に記載のディスク装置を提供する。
【００１４】
本開示の第４態様によれば、前記筐体は、前記傾斜面の頂部から前記挿入方向の上流側に向けて延在する平坦面を備え、
前記シャッタが前記開口部を塞いだ状態のとき、前記平坦面と前記スライダの外表面の一部とが略面一にある、第２又は３態様に記載のディスク装置を提供する。
【００１５】
本開示の第５態様によれば、前面にディスクを挿入する開口部が形成された筐体と、前記筐体の開口部を開閉可能な蓋とを備えるディスクカートリッジであって、
前記蓋は、
前記筐体の側面に沿って移動可能なスライダと、
前記開口部を塞ぐシャッタと、
前記スライダと前記シャッタとを回動自在に連結するヒンジ部と、
を備え、
前記スライダが前記開口部から離れる奥行き方向に移動するとき、前記シャッタが前記筐体に押されて前記ヒンジ部を中心に回動し、前記開口部が開口するように構成されるとともに、前記シャッタと前記筐体との接触部から前記ヒンジ部を離すことができるように構成された、ディスクカートリッジを提供する。
【００１６】
本開示の第６態様によれば、前記筐体は、前記スライダが前記奥行き方向に移動するとき、前記接触部から前記ヒンジ部が離れる方向に前記スライダを移動させる傾斜面を備える、第５態様に記載のディスクカートリッジを提供する。
【００１７】
本開示の第７態様によれば、前記傾斜面は、前記奥行き方向に向かうに従い前記筐体の厚み方向であって前記筐体の内側から外側に向けて傾斜する、第６態様に記載のディスクカートリッジを提供する。
【００１８】
本開示の第８態様によれば、前記筐体は、前記傾斜面の頂部から前記奥行き方向の下流側に向けて延在する平坦面を備え、
前記シャッタが前記開口部を塞いだ状態のとき、前記平坦面と前記スライダの外表面の一部とが略面一にある、第６又は７態様に記載のディスクカートリッジを提供する。
【００１９】
本開示の第９態様によれば、前記シャッタは、前記開口部を塞いだ状態のとき、前記筐体が厚み方向に撓むのを抑える突っ張り部として機能する、第５〜８態様のいずれか１つに記載のディスクカートリッジを提供する。
【００２０】
本開示の第１０態様によれば、前記シャッタ又は筐体のいずれか一方には、凹部が設けられ、
前記シャッタ又は筐体のいずれか他方には、前記凹部に挿入可能な凸部が設けられ、
前記シャッタが前記開口部を塞いだ状態のとき、前記凹部と対向する位置に前記凸部が位置する、第９態様に記載のディスクカートリッジを提供する。
【００２１】
本開示の第１１態様によれば、前記シャッタが前記開口部を塞いだ状態で前記筐体の厚み方向に力が加わったとき、前記凸部が前記凹部に侵入し、前記シャッタの移動が抑制される、第１０態様に記載のディスクカートリッジを提供する。
【００２２】
本開示の第１２態様によれば、前記シャッタの前記開口部を塞ぐ側の面には、前記筐体の厚み方向に延在するようにリブが設けられている、第５〜１１態様のいずれか１つに記載のディスクカートリッジを提供する。
【００２３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、発明者らは、当業者が本開示を十分に理解するために添付図面および以下の説明を提供するのであって、これらによって特許請求の範囲に記載の主題を限定することを意図するものではない。
【００２５】
（実施の形態）
以下、実施の形態にかかるディスクカートリッジについて説明する。図１は、本実施の形態にかかるディスクカートリッジの蓋が閉じた状態を示す斜視図である。図２は、本実施の形態にかかるディスクカートリッジの蓋が開いた状態を示す斜視図である。なお、本実施の形態のディスクカートリッジ１は、正面から見て（図１の右下から左上に向かって見て）略左右対称に構成されている。ディスクカートリッジ１の左右において同一又は類似の構成である部分については、いずれか一方について説明し、いずれか他方の説明は適宜省略する。
【００２６】
本実施の形態にかかるディスクカートリッジ１は、図１に示すように、筐体２と、蓋３とを備えている。筐体２は、図２に示すように、複数枚のディスク４を収納可能に形成されている。筐体２の内部には、複数枚のディスク４を保持するディスクホルダ５が設けられている。筐体２の前面には、複数枚のディスク４を挿入する開口部２ａが形成されている。蓋３は、筐体２の開口部２ａを開閉可能に設けられている。
【００２７】
図３は、蓋３の分解斜視図である。蓋３は、スライダ３１と、シャッタ３２と、ヒンジ部の一例である２つのヒンジピン３３と、付勢部材の一例である２つのねじりコイルばね３４とを備えている。
【００２８】
スライダ３１は、図３に示すように、２つの側板の前方側上部を矩形の天板で連結した構造を有している。また、スライダ３１は、図１及び図２に示すように、筐体２の側面に沿って移動可能に構成されている。シャッタ３２は、図１に示すように、筐体２の開口部２ａを塞ぐように構成されている。
【００２９】
スライダ３１の両側板の前方上部の角部には、ピン穴３１ａが設けられている。また、シャッタ３２の両側面の上端部には、ピン穴３２ａが設けられている。各ヒンジピン３３は、それぞれ、ピン穴３１ａ、ねじりコイルばね３４の中心穴、ピン穴３２ａの順に挿入されることで、スライダ３１とシャッタ３２とを回動自在に連結する。
【００３０】
各ねじりコイルばね３４は、開口部２ａを塞ぐ方向にシャッタ３２を付勢するように取り付けられている。より具体的には、各ねじりコイルばね３４は、一端部３４ａがスライダ３１に設けられたカム部（第２カム部）３１ｂに係合し、他端部３４ｂがシャッタ３２の側面に係合するように設けられている。
【００３１】
図４Ａ及び図４Ｂは、蓋３が筐体２の開口部２ａを閉じた状態から開いた状態まで移動する様子を模式的に示す側面図である。図４Ａ及び図４Ｂに示すように、筐体２の側壁には、開口部２ａから離れる奥行き方向Ｘ１に延在するカム溝２ｂが形成されている。図３、図４Ａ、及び図４Ｂに示すように、スライダ３１の筐体２の側壁と対向する位置には、カム溝２ｂに係合して摺動可能な係合ピン３１ｃが設けられている。スライダ３１は、係合ピン３１ｃがカム溝２ｂを摺動することにより奥行き方向Ｘ１の移動をガイドされる。
【００３２】
スライダ３１が奥行き方向Ｘ１に移動するとき、ヒンジピン３３によりスライダ３１に連結されるシャッタ３２も奥行き方向Ｘ１に移動する。このとき、シャッタ３２は、筐体２の前方上端部２ｃに押されてヒンジピン３３を中心に回動しながら奥行き方向Ｘ１に移動する。これにより、開口部２ａが開口される。
【００３３】
本実施の形態にかかるディスクカートリッジ１によれば、蓋３をスライダ３１とシャッタ３２とに分け、それらを回動自在に連結し、スライダ３１が奥行き方向Ｘ１に移動するとき、シャッタ３２が筐体２に押されて回動し、開口部２ａが開口するようにしている。これにより、蓋３は、筐体２の側面に沿うように移動することになり、従来よりも蓋３が回動する空間を小さくすることができる。その結果、装置の薄型化及び小型化を図ることができる。
【００３４】
なお、シャッタ３２がヒンジピン３３を中心に回動するとき、シャッタ３２と筐体２の前方上端部２ｃとの接触部とヒンジピン３３との距離が近いと、シャッタ３２を回動させる負荷が大きくなる。このため、シャッタ３２がヒンジピン３３を中心に回動するとき又は当該回動する前に、前記距離を長くするように構成することが好ましい。これにより、シャッタ３２をスムーズに回動させることができる。具体的な構成の一例については、後で詳しく説明する。
【００３５】
また、筐体２は、図８に示すように、当該スライダ３１が奥行き方向Ｘ１に移動するとき、シャッタ３２と筐体２の前方上端部２ｃとの接触部から離れる方向にスライダ３１を移動させる傾斜面２ｍを備えることが好ましい。これにより、スライダ３１が傾斜面２ｍ上を摺動することで、前記接触部とヒンジピン３３との距離を徐々に長くすることができるとともに、当該距離を維持することができる。なお、傾斜面２ｍは、例えば、奥行き方向Ｘ１に向かうに従い筐体２の厚み方向であって筐体２の内側から外側に向けて傾斜するように形成すればよい。
【００３６】
また、筐体２は、傾斜面２ｍの頂部から奥行き方向Ｘ１の下流側に向けて延在する平坦面２ｎを備え、シャッタ３２が開口部２ａを塞いだ状態のとき（図１参照）、平坦面２ｎとスライダ３１の外表面の一部とが略面一（同一水平面上）にあるように構成することが好ましい。これにより、筐体２の上面に凹凸が生じることを抑えることができるとともに、意匠性を向上させることができる。
【００３７】
なお、筐体２の開口部２ａの近傍は、ディスク４の挿入を阻害しないように構成する必要がある。このため、筐体２の開口部２ａの近傍は、支柱となるものを設けることができず、厚み方向の力に弱い。そこで、シャッタ３２は、開口部２ａを塞いだ状態（以下、閉塞状態という）のとき、筐体２が厚み方向に撓むのを抑える突っ張り部として機能するように構成することが好ましい。例えば、図５に示すように、筐体２の前方下部の角部又はシャッタ３２の下端部の少なくとも一方に段差部２ｄ，３２ｂを設け、シャッタ３２が開塞状態のとき、筐体２とシャッタ３２とが段差部２ｄ，３２ｂで嵌合するように構成することが好ましい。これにより、筐体２の厚み方向に加わる力に対する強度を向上させることができる。
【００３８】
また、シャッタ３２の開口部２ａを塞ぐ側の面（内面）には、図６及び図７に示すように、筐体２の厚み方向に延在するように１つ以上のリブ３２ｃが設けられることが好ましい。これにより、筐体２の厚み方向に加わる力に対する強度を更に向上させることができる。
【００３９】
なお、本実施の形態において、筐体２は、図８に示すように、上ケース２Ａと下ケース２Ｂとにより構成されている。図６及び図７は、下ケース２Ｂにシャッタ３２を取り付けた状態を示す斜視図である。
【００４０】
図６及び図７に示すように、下ケース２Ｂの底壁には、シャッタ３２を閉塞状態で保持するためのロックアーム２１が、回動軸２１ａを中心に回動自在に取り付けられている。ロックアーム２１の先端部には、シャッタ３２の内面の下端部に設けられたフック３２ｄと係合可能なフック２１ｂが設けられている。本実施の形態においては、図７に示すように、ロックアーム２１のフック２１ｂとシャッタ３２のフック３２ｄとが係合することで、シャッタ３２が閉塞状態で保持（ロック）されるようにしている。
【００４１】
また、下ケース２Ｂの底壁には、ロックアーム２１のフック２１ｂとシャッタ３２のフック３２ｄとが係合する位置（図７参照）に位置するように、ロックアーム２１を付勢するねじりコイルばね２２が設けられている。
【００４２】
なお、ロックアーム２１のフック２１ｂとシャッタ３２のフック３２ｄとを確実に係合させるためには、当該係合させる際にシャッタ３２が開口部２ａを塞ぐ所定の位置に位置することが求められる。このため、シャッタ３２が開口部２ａを塞ぐ方向に回動するとき又は当該回動する前に、ねじりコイルばね３４の付勢力を増加させる付勢力増加部を備えることが好ましい。これにより、開口部２ａを塞ぐ所定の位置にシャッタ３２を位置させ、ロックアーム２１のフック２１ｂとシャッタ３２のフック３２ｄとを確実に係合させることができる。
【００４３】
このような付勢力増加部は、例えば、図９に示すような、第１カム部２ｅと、第２カム部３１ｂとにより構成することができる。第１カム部２ｅは、ねじりコイルばね３４の一端部３４ａと係合するように筐体２の側壁に設けられている。第２カム部３１ｂは、ねじりコイルばね３４の一端部３４ａと係合するようにスライダ３１の側壁に設けられている。第１カム部２ｅと第２カム部３１ｂとは、スライダ３１が奥行き方向Ｘ１に予め設定された距離以上移動されたとき、ねじりコイルばね３４の付勢力が増加する方向（図９では時計回り）にねじりコイルばね３４の一端部３４ａを移動させるように構成されている。
【００４４】
なお、図６及び図７に示すように、下ケース２Ｂの側壁よりも外側の底壁には、貫通穴２ｆとストッパ２ｇとが設けられている。貫通穴２ｆは、図３に示すようにスライダ３１の後端側に設けられた突起部３１ｄを挿入可能に設けられている。突起部３１ｄが貫通穴２ｆに挿入されることにより、筐体２に対するスライダ３１の相対移動がロックされる。また、ストッパ２ｇは、突起部３１ｄが貫通穴２ｆ内に位置するとき、図３に示すようにスライダ３１の後端部に設けられた突起部３１ｄと接触するように設けられている。
【００４５】
次に、本実施の形態にかかるディスクカートリッジ１に収納されたディスク４に対して情報の記録又は再生を行うディスク装置６の構成について説明する。図１０は、ディスク装置６の斜視図である。図１１は、ディスク装置６内にディスクカートリッジ１が挿入される途中の状態を示す斜視図である。図１２は、ディスク装置６内にディスクカートリッジ１が挿入された状態を示す斜視図である。なお、ディスク装置６は、正面から見て（図１０の左下から右上に向かって見て）略左右対称に構成されている。ディスク装置６の左右において同一又は類似の構成である部分については、いずれか一方について説明し、いすれか他方の説明は適宜省略する。
【００４６】
ディスク装置６は、筐体を構成する上板６Ａと下ケース６Ｂとを備えている。ディスク装置６の前面には、図１０に示すように、ディスクカートリッジ１が挿入される開口部６ａが設けられている。ディスクカートリッジ１は、蓋３側を先頭にして、図１１及び図１２に示すようにディスク装置６内へ挿入される。ディスク装置６の開口部６ａから離れた装置奥側には、スピンドルモータや光ピックアップなどを備えるディスクドライブ（図示せず）が搭載されている。ディスクドライブの詳細構成については、ここでは省略する。
【００４７】
図１３は、ディスク装置６の下ケース６Ｂの斜視図である。図１３に示すように、下ケース６Ｂには、それぞれ挿入方向Ｘ２に延在する第１〜第５ガイド突起６１〜６５が設けられている。
【００４８】
第１〜第３ガイド突起６１〜６３は、下ケース６Ｂの両側壁の内面に設けられている。また、第１〜３ガイド突起６１〜６３は、図８に示すようにスライダ３１の両側壁の外面に設けられたガイド溝３１ｆ〜３１ｈ及びディスクカートリッジ１の上ケース２Ａの両側壁の外面に設けられたガイド溝２ｈ〜２ｊを摺動可能に設けられている。
【００４９】
また、第４ガイド突起６４は、下ケース６Ｂの底壁の内面に２つ設けられている。第４ガイド突起６４は、図１４に示すようにディスクカートリッジ１の下ケース２Ｂの底壁の内面に２つ設けられたガイド溝２ｋを摺動可能に設けられている。
【００５０】
また、第５ガイド突起６５は、下ケース６Ｂの底壁の内面に２つ設けられている。第５ガイド突起６５は、図３に示すようにスライダ３１の後端側に設けられた突起部３１ｄと接触可能な位置に設けられている。
【００５１】
また、下ケース６Ｂには、図１３に示すように、ディスクカートリッジ１がディスク装置６内に挿入されるとき、スライダ３１に接触して蓋３の挿入方向Ｘ２の移動を規制するストッパ６６が設けられている。ストッパ６６は、下ケース６Ｂの両側壁の内面に、第１〜第４ガイド突起６４よりも挿入方向Ｘ２の下流側に設けられている。
【００５２】
ディスク装置６内にディスクカートリッジ１が挿入されるとき、第４ガイド突起６４がガイド溝２ｋを移動することでディスクカートリッジ１の挿入方向Ｘ２への移動がガイドされる。また、第２〜第３ガイド突起６２〜６３がガイド溝２ｉ〜２ｊ、３１ｇ〜３１ｈを必要以上のガタツキが発生しないように規制する。
【００５３】
また、ガイド溝２ｋには、図１４に示すように、下ケース２Ｂの底壁に設けたロックアーム２１の一部である接触片２１ｃが、ねじりコイルばね２２に付勢されて突出している。ディスク装置６内にディスクカートリッジ１が挿入された初期においては、図１５に示すように、ロックアーム２１のフック２１ｂとシャッタ３２のフック３２ｄとが係合して、シャッタ３２が閉塞状態で保持される。
【００５４】
その後、ディスクカートリッジ１が更に挿入方向Ｘ２に挿入されると、第４ガイド突起６４が接触片２１ｃに接触してロックアーム２１をねじりコイルばね２２の付勢力に抗してロックアーム２１を回動させる。これにより、図１６に示すように、ロックアーム２１のフック２１ｂとシャッタ３２のフック３２ｄとの係合が解除される。
【００５５】
図１７及び図１８は、ディスク装置６内にディスクカートリッジ１が挿入方向Ｘ２に挿入される途中の状態を一部断面で示す側面図である。図１７は、ディスク装置６の下ケース６Ｂの側壁を透過した状態を示す図であり、図１８は、ディスク装置６の下ケース６Ｂの側壁及びディスクカートリッジ１の上ケース２Ａの側壁を透過した状態を示す図である。
【００５６】
図１７及び図１８に示す状態からディスクカートリッジ１が更に挿入方向Ｘ２に挿入されると、図１９に示すように、スライダ３１がストッパ６６に接触する。また、図２０に示すように、第５ガイド突起６５が突起部３１ｄを貫通穴２ｆから押し出すとともに、スライダ３１の後端部３１ｅとストッパ２ｇとが非接触になる。
【００５７】
スライダ３１がストッパ６６に接触することで、スライダ３１の挿入方向Ｘ２の移動が規制される。一方、第５ガイド突起６５が突起部３１ｄを貫通穴２ｆから押し出すとともに、スライダ３１の後端部３１ｅとストッパ２ｇとが非接触になることで、筐体２に対するスライダ３１の相対移動のロックが解除される。すなわち、筐体２は、図１９及び図２０に示す位置から更に挿入方向Ｘ２に移動可能となる。
【００５８】
ここで、ストッパ６６には、図１７及び図１９に示すように、挿入方向Ｘ２に向かうに従い上方に傾斜するカム部６７が設けられている。また、スライダ３１には、ストッパ６６の先端部６６ａが摺動可能な傾斜面３１ｉが形成された切欠部３１ｊが設けられている。
【００５９】
図２１Ａは、スライダ３１がストッパ６６に接触する前における、シャッタ３２と筐体２の前方上端部２ｃとの接触部の近傍の状態を示す側面図である。図２１Ｂは、スライダ３１がストッパ６６に接触した後における、シャッタ３２と筐体２の前方上端部２ｃとの接触部の近傍の状態を示す側面図である。
【００６０】
スライダ３１がストッパ６６に接触するとき、ヒンジピン３３を押し上げるように、ストッパ６６の先端部６６ａがスライダ３１の傾斜面３１ｉを摺動する。これにより、図２１Ｂに示すシャッタ３２と筐体２の前方上端部２ｃとの接触部とヒンジピン３３との距離ｈ２が、図２１Ａに示す当該距離ｈ１よりも長くなる。この状態から、ディスク装置６内にディスクカートリッジ１が更に挿入方向Ｘ２に挿入されると、筐体２の前方上端部２ｃがシャッタ３２を押して、シャッタ３２がヒンジピン３３を中心に回動する。このとき、距離ｈ２が距離ｈ１よりも長いので、シャッタ３２を回動させる負荷を小さくして、シャッタ３２をスムーズに回動させることができる。また、距離ｈ２が長くなるようにヒンジピン３３が移動するとき又は当該移動した後、図８に示す傾斜面２ｍが、スライダ３１（少なくとも矩形の天板）をヒンジピン３３が移動する方向に移動させる。
【００６１】
その後、ディスクカートリッジ１が図１２に示す位置まで更に挿入方向Ｘ２に挿入されると、図２に示すように開口部２ａが完全に開放され、ディスク４をディスクドライブ（図示せず）に向けて搬送することが可能になる。
【００６２】
また、ディスク装置６の上板６Ａには、図２２及び図２３に示すように、スライダ３１を付勢する板バネ６８が設けられている。板バネ６８は、上板６Ａの内面にネジ（図示せず）により片持ち状態で取り付けられている。板バネ６８は、ディスクカートリッジ１がディスク装置６内から排出方向Ｘ３に移動されるとき、スライダ３１の排出方向Ｘ３への移動を規制するストッパとして機能する段差部６８ａを備えている。
【００６３】
図２２に示す状態からディスクカートリッジ１が更に排出方向Ｘ３に移動されると、段差部６８ａによりスライダ３１の排出方向Ｘ３への移動が規制される一方で、筐体２の前方上端部２ｃが排出方向Ｘ３に移動する。これに伴い、シャッタ３２が、ヒンジピン３３を中心に回動して開口部２ａを塞ぐ。このとき、図２１Ａに示すように、シャッタ３２と筐体２の前方上端部２ｃとの接触部とヒンジピン３３との距離が短くなる（ｈ２→ｈ１）ように、蓋３が下方に移動する。その結果、板バネ６８とスライダ３１との位置関係が図２３に示す状態となる。
【００６４】
図２３に示す状態からディスクカートリッジ１が更に排出方向Ｘ３に移動されると、スライダ３１が、板バネ６８の段差部６８ａの下方に移動して板バネ６８の自由端側を押し上げる。
【００６５】
この状態からディスクカートリッジ１が更に排出方向Ｘ３に移動されると、第４ガイド突起６４（図１３参照）がガイド溝２ｋ（図１４参照）を摺動する。これにより、第４ガイド突起６４とロックアーム２１の接触片２１ｃとの接触が解除されると、ねじりコイルばね２２の付勢力により、ロックアーム２１が回動軸２１ａを中心に回動する。その結果、接触片２１ｃがガイド溝２ｋ内の位置（図１４参照）に復帰するとともに、図１５に示すようにロックアーム２１のフック２１ｂとシャッタ３２のフック３２ｄとが係合する。したがって、ディスクカートリッジ１をディスク装置６内から完全に排出された際、シャッタ３２は閉塞状態で保持される。
【００６６】
本実施の形態にかかるディスク装置６によれば、ストッパ６６がスライダ３１の移動を規制した状態で更に筐体２が挿入方向Ｘ２に移動されてシャッタ３２が回動するとき、シャッタ３２と筐体２との接触部からヒンジピン３３を離すカム部６７を備えている。これにより、シャッタ３２を回動させる負荷を小さくして、シャッタ３２をスムーズに回動させることができる。
【００６７】
また、本実施の形態にかかるディスク装置６によれば、ディスクカートリッジ１をディスク装置６から排出する際、開口部２ａを塞ぐ位置にシャッタ３２を移動させるため、板バネ６８によりスライダ３１を付勢するようにしている。開口部２ａを塞ぐ位置にシャッタ３２を確実に移動させるためには、板バネ６８がスライダ３１を付勢する力を大きくする必要がある。一方、ディスクカートリッジ１をディスク装置６内に挿入する際、板バネ６８がスライダ３１を付勢する力が大きいと、当該挿入時の負荷が増加することになる。この矛盾する要求を満たすため、本実施の形態にかかるディスク装置６では、ディスクカートリッジ１の挿入時と排出時とで、板バネ６８と接触するスライダ３１の高さ位置を変えるようにしている。
【００６８】
より具体的には、図２４に示すように、ディスクカートリッジ１が挿入方向Ｘ２に移動するとき、スライダ３１は、カム部６７により持ち上げられる前の低い高さ位置で挿入方向Ｘ２に移動して板バネ６８と接触するようにしている。一方、ディスクカートリッジ１が排出方向Ｘ３に移動するとき、スライダ３１は、カム部６７により持ち上げられ後の高い高さ位置で排出方向Ｘ３に移動して板バネ６８と接触するようにしている。これにより、ディスクカートリッジ１をディスク装置６内に挿入するときには、板バネ６８の付勢力を小さくすることができる。一方、ディスクカートリッジ１をディスク装置６内から排出するときには、板バネ６８の付勢力を大きくして、開口部２ａを塞ぐ位置にシャッタ３２を確実に移動させることができる。
【００６９】
以上のように、本出願において開示する技術の例示として、実施の形態を説明した。しかしながら、本開示における技術は、これに限定されず、適宜、変更、置き換え、付加、省略などを行った実施の形態にも適用可能である。例えば、前記実施の形態では、ディスクカートリッジ１は、複数枚のディスク４を収納するものとしたが、本開示における技術はこれに限定されない。ディスクカートリッジ１は、１枚のディスク４を収納するものであってもよい。
【００７０】
また、前記実施の形態では、ストッパ６６とカム部６７と一体的に構成したが、本開示における技術はこれに限定されない。ストッパ６６とカム部６７とは別々に設けられてもよい。
【００７１】
また、前記実施の形態では、スライダ３１を付勢する板バネ６８をディスク装置６の上板６Ａに設けたが、本開示における技術はこれに限定されない。例えば、板バネ６８と同一の機能を有する板バネを、ディスク装置６の下ケース６Ｂの内側面（例えば、第２ガイド突起６２の近傍）に設けてもよい。この場合、板バネが摺動することによりディスクカートリッジ１の表面が擦れて傷付いた場合であっても、当該傷がユーザによって見えやすいディスクカートリッジ１の上面には形成されないので、当該傷の存在を目立たなくすることができる。また、当該板バネは、ディスク装置６の下ケース６Ｂの内側面に略Ｕ字状の貫通穴を開けることにより形成されてもよい。この場合、板バネを別部品として用意する必要がないので、部品点数を削減することができる。
【００７２】
また、前記実施の形態では、筐体２の上ケース２Ａの上面に傾斜面２ｍを設けるとともに、当該傾斜面２ｍの頂部から奥行き方向Ｘ１の下流側に向けて延在する平坦面２ｎを設けたが、当該傾斜面２ｍ及び平坦面２ｎの形状は、図８に示す形状に限定されない。例えば、傾斜面２ｍ１と平坦面２ｎ１とは、図２５に示すような形状であってもよい。なお、この場合、シャッタ３２の開口部２ａを塞ぐ側の面に設けたリブ３２ｃに接触しないように、凹部２ｐを設けることが好ましい。
【００７３】
また、前記実施の形態では、突っ張り部の一例として、図５に示すように、筐体２の前方下部の角部に設けた段差部２ｄとシャッタ３２の下端部に設けた段差部３２ｂとを係合させる構成について説明したが、本開示における技術はこれに限定されない。例えば、図２６〜図２８に示すように、筐体２の前方下部の角部近傍の上面に凹部２ｑを設けるとともにシャッタ３２の下端部に凸部３２ｅを設け、シャッタ３２が開口部２ａを塞いだ状態のとき、凹部２ｑと対向する位置に凸部３２ｅが位置するように構成してもよい。この構成によれば、筐体２の厚み方向に力が加わったときに凸部３２ｅが凹部２ｑに侵入することで、シャッタ３２を突っ張り部として機能させることができる。また、このとき、筐体２の厚み方向と交差する方向に力が加わったとしても、凸部３２ｅが凹部２ｑに侵入していることにより、当該交差する方向にシャッタ３２がずれることを抑えることができる。これにより、より確実にシャッタ３２を突っ張り部として機能させることができる。
【００７４】
なお、前記では、筐体２の前方下部の角部近傍の上面に凹部２ｑを設けるとともにシャッタ３２の下端部に凸部３２ｅを設けるものとしたが、凹部と凸部との関係は逆であってもよい。すなわち、シャッタ３２又は筐体２のいずれか一方に凹部が設けられ、シャッタ３２又は筐体２のいずれか他方に凸部が設けられればよい。
【００７５】
また、シャッタ３２を開口部２ａを塞ぐ位置で位置決めするため、図２６及び図２７に示すように、スライダ３１に係止部３１ｋを設けるとともに、シャッタ３２に被係止部３２ｆを設けてもよい。
【産業上の利用可能性】
【００７６】
本開示のディスクカートリッジ及びディスク装置は、装置の薄型化及び小型化を図ることができるので、特に、ディスクカートリッジに収納されたディスクに対して情報の記録又は再生を行うディスク装置に有用である。【００７７】
２０１３年４月１６日に出願された日本国特許出願Ｎｏ．２０１３−８５７８２号の明細書、図面、および特許請求の範囲の開示内容は、全体として参照されて本明細書の中に取り入れられるものである。
【符号の説明】
【００７８】
１      ディスクカートリッジ
２      筐体
２Ａ    上ケース
２Ｂ    下ケース
２ａ    開口部
２ｂ    カム溝
２ｃ    前方上端部
２ｄ    段差部
２ｅ    第１カム部
２ｆ    貫通穴
２ｇ    ストッパ
２ｈ〜２ｋ    ガイド溝
２ｍ    傾斜面
２ｎ    平坦面
２ｐ，２ｑ    凹部
３      蓋
４      ディスク
５      ディスクホルダ
６      ディスク装置
６Ａ    上板
６Ｂ    下ケース
６ａ    開口部
２１      ロックアーム
２１ａ    回動軸
２１ｂ    フック
２１ｃ    接触片
２２      ねじりコイルばね
３１      スライダ
３１ａ    ピン穴
３１ｂ    第２カム部
３１ｃ    係合ピン
３１ｄ    突起部
３１ｅ    後端部
３１ｆ〜３１ｈ    ガイド溝
３１ｉ    傾斜面
３１ｊ    切欠部
３１ｋ    係止部
３２      シャッタ
３２ａ    ピン穴
３２ｂ    段差部
３２ｃ    リブ
３２ｄ    フック
３２ｅ    凸部
３２ｆ    被係止部
３３      ヒンジピン
３４      ねじりコイルばね
３４ａ    一端部
３４ｂ    他端部
６１      第１ガイド突起
６２      第２ガイド突起
６３      第３ガイド突起
６４      第４ガイド突起
６５      第５ガイド突起
６６      ストッパ
６６ａ    先端部
６７      カム部
６８      板バネ
６８ａ    段差部
【図１】
2014171137.tif 000003
【図２】
2014171137.tif 000004
【図３】
2014171137.tif 000005
【図４Ａ】
2014171137.tif 000006
【図４Ｂ】
2014171137.tif 000007
【図５】
2014171137.tif 000008
【図６】
2014171137.tif 000009
【図７】
2014171137.tif 000010
【図８】
2014171137.tif 000011
【図９】
2014171137.tif 000012
【図１０】
2014171137.tif 000013
【図１１】
2014171137.tif 000014
【図１２】
2014171137.tif 000015
【図１３】
2014171137.tif 000016
【図１４】
2014171137.tif 000017
【図１５】
2014171137.tif 000018
【図１６】
2014171137.tif 000019
【図１７】
2014171137.tif 000020
【図１８】
2014171137.tif 000021
【図１９】
2014171137.tif 000022
【図２０】
2014171137.tif 000023
【図２１Ａ】
2014171137.tif 000024
【図２１Ｂ】
2014171137.tif 000025
【図２２】
2014171137.tif 000026
【図２３】
2014171137.tif 000027
【図２４】
2014171137.tif 000028
【図２５】
2014171137.tif 000029
【図２６】
2014171137.tif 000030
【図２７】
2014171137.tif 000031
【図２８】
2014171137.tif 000032
【図２９】
2014171137.tif 000033
【図３０】
2014171137.tif 000034
【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
ディスクカートリッジに収納されたディスクに対して情報の記録又は再生を行うディスク装置であって、
前記ディスクカートリッジは、
前面にディスクを挿入する開口部が形成された筐体と、
前記筐体の開口部を開閉可能な蓋と、
を備え、
前記蓋は、
前記筐体の側面に沿って移動可能なスライダと、
前記開口部を塞ぐシャッタと、
前記スライダと前記シャッタとを回動自在に連結するヒンジ部と、
を備え、
前記ディスク装置は、
前記ディスクカートリッジが前記ディスク装置内に挿入されるとき、前記スライダに接触して前記スライダの挿入方向の移動を規制するストッパと、
前記ストッパが前記スライダの前記挿入方向の移動を規制した状態で更に前記筐体が前記挿入方向に移動され、前記シャッタが前記筐体に押されて前記ヒンジ部を中心に回動するとき又は当該回動する前に、前記シャッタと前記筐体との接触部から前記ヒンジ部を離すカム部と、
を備える、ディスク装置。
【請求項２】
前記筐体は、当該筐体が前記挿入方向に移動され、前記カム部により前記ヒンジ部が前記接触部から離れる方向に移動するとき又は当該移動した後、当該ヒンジ部が移動する方向に前記スライダを移動させる傾斜面を備える、請求項１に記載のディスク装置。
【請求項３】
前記傾斜面は、前記挿入方向に向かうに従い前記筐体の厚み方向であって前記筐体の内側から外側に向けて傾斜する、請求項２に記載のディスク装置。
【請求項４】
前記筐体は、前記傾斜面の頂部から前記挿入方向の上流側に向けて延在する平坦面を備え、
前記シャッタが前記開口部を塞いだ状態のとき、前記平坦面と前記スライダの外表面の一部とが略面一にある、請求項２又は３に記載のディスク装置。
【請求項５】
前面にディスクを挿入する開口部が形成された筐体と、前記筐体の開口部を開閉可能な蓋とを備えるディスクカートリッジであって、
前記蓋は、
前記筐体の側面に沿って移動可能なスライダと、
前記開口部を塞ぐシャッタと、
前記スライダと前記シャッタとを回動自在に連結するヒンジ部と、
を備え、
前記スライダが前記開口部から離れる奥行き方向に移動するとき、前記シャッタが前記筐体に押されて前記ヒンジ部を中心に回動し、前記開口部が開口するように構成されるとともに、前記シャッタと前記筐体との接触部から前記ヒンジ部を離すことができるように構成された、ディスクカートリッジ。
【請求項６】
前記筐体は、前記スライダが前記奥行き方向に移動するとき、前記接触部から前記ヒンジ部が離れる方向に前記スライダを移動させる傾斜面を備える、請求項５に記載のディスクカートリッジ。
【請求項７】
前記傾斜面は、前記奥行き方向に向かうに従い前記筐体の厚み方向であって前記筐体の内側から外側に向けて傾斜する、請求項６に記載のディスクカートリッジ。
【請求項８】
前記筐体は、前記傾斜面の頂部から前記奥行き方向の下流側に向けて延在する平坦面を備え、
前記シャッタが前記開口部を塞いだ状態のとき、前記平坦面と前記スライダの外表面の一部とが略面一にある、請求項６又は７に記載のディスクカートリッジ。
【請求項９】
前記シャッタは、前記開口部を塞いだ状態のとき、前記筐体が厚み方向に撓むのを抑える突っ張り部として機能する、請求項５〜８のいずれか１つに記載のディスクカートリッジ。
【請求項１０】
前記シャッタ又は筐体のいずれか一方には、凹部が設けられ、
前記シャッタ又は筐体のいずれか他方には、前記凹部に挿入可能な凸部が設けられ、
前記シャッタが前記開口部を塞いだ状態のとき、前記凹部と対向する位置に前記凸部が位置する、請求項９に記載のディスクカートリッジ。
【請求項１１】
前記シャッタが前記開口部を塞いだ状態で前記筐体の厚み方向に力が加わったとき、前記凸部が前記凹部に侵入し、前記シャッタの移動が抑制される、請求項１０に記載のディスクカートリッジ。
【請求項１２】
前記シャッタの前記開口部を塞ぐ側の面には、前記筐体の厚み方向に延在するようにリブが設けられている、請求項５〜１１のいずれか１つに記載のディスクカートリッジ。
【手続補正２】
【補正対象書類名】明細書
【補正対象項目名】全文
【補正方法】変更
【補正の内容】
【発明の詳細な説明】
【技術分野】
【０００１】
本開示は、ディスクを収納するディスクカートリッジ及び当該ディスクカートリッジに収納されたディスクに対して情報の記録又は再生を行うディスク装置に関する。
【背景技術】
【０００２】
従来、ディスクなどの情報記録媒体を収納するカートリッジとして、例えば、図２９及び図３０に示すようなカートリッジが知られている（例えば、特許文献１又は２参照）。
【０００３】
図２９に示すように、従来のカートリッジは、筐体１０１と、筐体１０１の前方を覆う蓋１０２とを備えている。筐体１０１の内部には、図３０に示すように磁気テープ１０３が収納されている。蓋１０２は、磁気テープ１０３を露出させることができるように、回動軸１０４を中心に回動自在に構成されている。
【先行技術文献】
【特許文献】
【０００４】
【特許文献１】実開昭６３−０２４７７８号公報
【特許文献２】実公平６−２７０３３号公報
【発明の概要】
【発明が解決しようとする課題】
【０００５】
ディスク装置のような記録再生装置においては、装置の薄型化及び小型化が求められている。磁気テープ１０３に対して情報の記録又は再生を行う従来の記録再生装置においては、図３０に示すように、磁気テープ１０３が露出するように蓋１０２を回動させた状態で、情報の記録又は再生を行う。このため、蓋１０２の回動動作を阻害しないように、装置内に蓋１０２が回動する空間を確保する必要がある。したがって、従来の記録再生装置においては、装置の薄型化及び小型化が図れないという課題がある。
【０００６】
本開示は、装置の薄型化及び小型化を図ることができるディスクカートリッジ及びディスク装置を提供する。
【課題を解決するための手段】
【０００７】
本開示におけるディスク装置は、
ディスクカートリッジに収納されたディスクに対して情報の記録又は再生を行うディスク装置であって、
ディスクカートリッジは、
前面にディスクを挿入する開口部が形成された筐体と、
筐体の開口部を開閉可能な蓋と、
を備え、
蓋は、
筐体の側面に沿って移動可能なスライダと、
開口部を塞ぐシャッタと、
スライダと前記シャッタとを回動自在に連結するヒンジ部と、
を備え、
ディスク装置は、
ディスクカートリッジがディスク装置内に挿入されるとき、スライダに接触してスライダの挿入方向の移動を規制するストッパと、
ストッパがスライダの挿入方向の移動を規制した状態で更に筐体が挿入方向に移動され、シャッタが筐体に押されてヒンジ部を中心に回動するとき又は当該回動する前に、シャッタと筐体との接触部からヒンジ部を離すカム部と、
を備える。
【０００８】
本開示におけるディスクカートリッジは、前面にディスクを挿入する開口部が形成された筐体と、筐体の開口部を開閉可能な蓋とを備えるディスクカートリッジであって、
蓋は、
筐体の側面に沿って移動可能なスライダと、
開口部を塞ぐシャッタと、
スライダとシャッタとを回動自在に連結するヒンジ部と、
を備え、
スライダが開口部から離れる奥行き方向に移動するとき、シャッタが筐体に押されてヒンジ部を中心に回動し、開口部が開口するように構成されるとともに、シャッタと筐体との接触部からヒンジ部を離すことが可能できるように構成されている。
【発明の効果】
【０００９】
本開示におけるディスクカートリッジ及びディスク装置は、装置の薄型化及び小型化を図ることができる。
【図面の簡単な説明】
【００１０】
本開示のこれらと他の目的と特徴は、添付された図面についての好ましい実施の形態に関連した次の記述から明らかになる。この図面においては、
【図１】図１は、実施の形態にかかるディスクカートリッジの斜視図であって、蓋が閉じた状態を示す図であり、
【図２】図２は、実施の形態にかかるディスクカートリッジの斜視図であって、蓋が開いた状態を示す図であり、
【図３】図３は、図１の蓋の分解斜視図であり、
【図４Ａ】図４Ａは、図１の蓋が筐体の開口部を閉じた状態を模式的に示す側面図であり、
【図４Ｂ】図４Ｂは、図１の蓋が筐体の開口部を開いた状態を模式的に示す側面図であり、
【図５】図５は、図１の蓋が備えるシャッタの構成の一例を示す縦断面図であり、
【図６】図６は、図１のディスクカートリッジの筐体を構成する下ケースにシャッタを取り付けた状態を示す斜視図であって、ロックアームのフックとシャッタのフックとが係合していない状態を示す図であり、
【図７】図７は、図１のディスクカートリッジの筐体を構成する下ケースにシャッタを取り付けた状態を示す斜視図であって、ロックアームのフックとシャッタのフックとが係合している状態を示す図であり、
【図８】図８は、図１のディスクカートリッジの筐体の分解斜視図であり、
【図９】図９は、シャッタを付勢するねじりコイルばねの付勢力を増加させる付勢力増加部の構成の一例を示す側面図であり、
【図１０】図１０は、図１のディスクカートリッジに収納されたディスクに対して情報の記録又は再生を行うディスク装置の斜視図であり、
【図１１】図１１は、図１０のディスク装置内に図１のディスクカートリッジが挿入される途中の状態を示す斜視図であり、
【図１２】図１２は、図１０のディスク装置内に図１のディスクカートリッジが挿入された状態を示す斜視図であり、
【図１３】図１３は、図１０のディスク装置が備える下ケースの斜視図であり、
【図１４】図１４は、図１のディスクカートリッジが備える下ケースの底面図であり、
【図１５】図１５は、図１０のディスク装置内に図１のディスクカートリッジが挿入されるときにおいて、ロックアームのフックとシャッタのフックとが係合した状態を示す斜視図であり、
【図１６】図１６は、図１０のディスク装置内に図１のディスクカートリッジが挿入されるときにおいて、ロックアームのフックとシャッタのフックとの係合が解除された状態を示す斜視図であり、
【図１７】図１７は、図１０のディスク装置内に図１のディスクカートリッジが挿入される途中の状態を一部断面で示す側面図であり、
【図１８】図１８は、図１０のディスク装置内に図１のディスクカートリッジが挿入される途中の状態を一部断面で示す側面図であり、
【図１９】図１９は、図１７に示す状態から更に図１０のディスク装置内に図１のディスクカートリッジが挿入された状態を一部断面で示す側面図であり、
【図２０】図２０は、図１８に示す状態から更に図１０のディスク装置内に図１のディスクカートリッジが挿入された状態を一部断面で示す側面図であり、
【図２１Ａ】図２１Ａは、スライダがストッパに接触する前の状態を模式的に示す側面図であり、
【図２１Ｂ】図２１Ｂは、スライダがストッパに接触し、カム部によりヒンジピンが押し上げられた状態を模式的に示す側面図であり、
【図２２】図２２は、図１０のディスク装置内から図１のディスクカートリッジが排出されるときにおいて、板バネとスライダとが接触した瞬間の状態を示す側面図であり、
【図２３】図２３は、図２２に示す状態から更に図１のディスクカートリッジが排出され、板バネに付勢されてスライダが下降した状態を示す側面図であり、
【図２４】図２４は、図１０のディスク装置に対して図１のディスクカートリッジを挿入及び排出するときのスライダと板バネとの位置関係を模式的に示す側面図であり、
【図２５】図２５は、第２実施の形態にかかるディスクカートリッジの斜視図であって、蓋が閉じた状態を示す図であり、
【図２６】図２６は、図２５のディスクカートリッジの蓋が開いた状態を示す斜視図であって、当該ディスクカートリッジ内にディスクが収納された状態を示す図であり、
【図２７】図２６は、図２５のディスクカートリッジの蓋が開いた状態を示す斜視図であって、当該ディスクカートリッジ内にディスクが収納されていない状態を示す図であり、
【図２８】図２８は、図２５の蓋が備えるシャッタが筐体の開口部を開いた状態を模式的に示す一部拡大断面図であり、
【図２９】図２９は、従来のカートリッジの蓋が閉じた状態を示す斜視図であり、
【図３０】図３０は、従来のカートリッジの蓋が開いた状態を示す斜視図である。
【発明を実施するための形態】
【００１１】
本開示の第１態様によれば、ディスクカートリッジに収納されたディスクに対して情報の記録又は再生を行うディスク装置であって、
前記ディスクカートリッジは、
前面にディスクを挿入する開口部が形成された筐体と、
前記筐体の開口部を開閉可能な蓋と、を備え、
前記蓋は、
前記筐体の側面に沿って移動可能なスライダと、
前記開口部を塞ぐシャッタと、
前記スライダと前記シャッタとを回動自在に連結するヒンジ部と、
を備え、
前記ディスク装置は、
前記ディスクカートリッジが前記ディスク装置内に挿入されるとき、前記スライダに接触して前記スライダの挿入方向の移動を規制するストッパと、
前記ストッパが前記スライダの前記挿入方向の移動を規制した状態で更に前記筐体が前記挿入方向に移動され、前記シャッタが前記筐体に押されて前記ヒンジ部を中心に回動するとき又は当該回動する前に、前記シャッタと前記筐体との接触部から前記ヒンジ部を離すカム部と、
を備える、ディスク装置を提供する。
【００１２】
本開示の第２態様によれば、前記筐体は、当該筐体が前記挿入方向に移動され、前記カム部により前記ヒンジ部が前記接触部から離れる方向に移動するとき又は当該移動した後、当該ヒンジ部が移動する方向に前記スライダを移動させる傾斜面を備える、第１態様に記載のディスク装置を提供する。
【００１３】
本開示の第３態様によれば、前記傾斜面は、前記挿入方向に向かうに従い前記筐体の厚み方向であって前記筐体の内側から外側に向けて傾斜する、第２態様に記載のディスク装置を提供する。
【００１４】
本開示の第４態様によれば、前記筐体は、前記傾斜面の頂部から前記挿入方向の上流側に向けて延在する平坦面を備え、
前記シャッタが前記開口部を塞いだ状態のとき、前記平坦面と前記スライダの外表面の一部とが略面一にある、第２又は３態様に記載のディスク装置を提供する。
【００１５】
本開示の第５態様によれば、前面にディスクを挿入する開口部が形成された筐体と、前記筐体の開口部を開閉可能な蓋とを備えるディスクカートリッジであって、
前記蓋は、
前記筐体の側面に沿って移動可能なスライダと、
前記開口部を塞ぐシャッタと、
前記スライダと前記シャッタとを回動自在に連結するヒンジ部と、
を備え、
前記スライダが前記開口部から離れる奥行き方向に移動するとき、前記シャッタが前記筐体に押されて前記ヒンジ部を中心に回動し、前記開口部が開口するように構成されるとともに、前記シャッタと前記筐体との接触部から前記ヒンジ部を離すことができるように構成された、ディスクカートリッジを提供する。
【００１６】
本開示の第６態様によれば、前記筐体は、前記スライダが前記奥行き方向に移動するとき、前記接触部から前記ヒンジ部が離れる方向に前記スライダを移動させる傾斜面を備える、第５態様に記載のディスクカートリッジを提供する。
【００１７】
本開示の第７態様によれば、前記傾斜面は、前記奥行き方向に向かうに従い前記筐体の厚み方向であって前記筐体の内側から外側に向けて傾斜する、第６態様に記載のディスクカートリッジを提供する。
【００１８】
本開示の第８態様によれば、前記筐体は、前記傾斜面の頂部から前記奥行き方向の下流側に向けて延在する平坦面を備え、
前記シャッタが前記開口部を塞いだ状態のとき、前記平坦面と前記スライダの外表面の一部とが略面一にある、第６又は７態様に記載のディスクカートリッジを提供する。
【００１９】
本開示の第９態様によれば、前記シャッタは、前記開口部を塞いだ状態のとき、前記筐体が厚み方向に撓むのを抑える突っ張り部として機能する、第５〜８態様のいずれか１つに記載のディスクカートリッジを提供する。
【００２０】
本開示の第１０態様によれば、前記シャッタ又は筐体のいずれか一方には、凹部が設けられ、
前記シャッタ又は筐体のいずれか他方には、前記凹部に挿入可能な凸部が設けられ、
前記シャッタが前記開口部を塞いだ状態のとき、前記凹部と対向する位置に前記凸部が位置する、第９態様に記載のディスクカートリッジを提供する。
【００２１】
本開示の第１１態様によれば、前記シャッタが前記開口部を塞いだ状態で前記筐体の厚み方向に力が加わったとき、前記凸部が前記凹部に侵入し、前記シャッタの移動が抑制される、第１０態様に記載のディスクカートリッジを提供する。
【００２２】
本開示の第１２態様によれば、前記シャッタの前記開口部を塞ぐ側の面には、前記筐体の厚み方向に延在するようにリブが設けられている、第５〜１１態様のいずれか１つに記載のディスクカートリッジを提供する。
【００２３】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２４】
なお、発明者らは、当業者が本開示を十分に理解するために添付図面および以下の説明を提供するのであって、これらによって特許請求の範囲に記載の主題を限定することを意図するものではない。
【００２５】
（実施の形態）
以下、実施の形態にかかるディスクカートリッジについて説明する。図１は、本実施の形態にかかるディスクカートリッジの蓋が閉じた状態を示す斜視図である。図２は、本実施の形態にかかるディスクカートリッジの蓋が開いた状態を示す斜視図である。なお、本実施の形態のディスクカートリッジ１は、正面から見て（図１の右下から左上に向かって見て）略左右対称に構成されている。ディスクカートリッジ１の左右において同一又は類似の構成である部分については、いずれか一方について説明し、いすれか他方の説明は適宜省略する。
【００２６】
本実施の形態にかかるディスクカートリッジ１は、図１に示すように、筐体２と、蓋３とを備えている。筐体２は、図２に示すように、複数枚のディスク４を収納可能に形成されている。筐体２の内部には、複数枚のディスク４を保持するディスクホルダ５が設けられている。筐体２の前面には、複数枚のディスク４を挿入する開口部２ａが形成されている。蓋３は、筐体２の開口部２ａを開閉可能に設けられている。
【００２７】
図３は、蓋３の分解斜視図である。蓋３は、スライダ３１と、シャッタ３２と、ヒンジ部の一例である２つのヒンジピン３３と、付勢部材の一例である２つのねじりコイルばね３４とを備えている。
【００２８】
スライダ３１は、図３に示すように、２つの側板の前方側上部を矩形の天板で連結した構造を有している。また、スライダ３１は、図１及び図２に示すように、筐体２の側面に沿って移動可能に構成されている。シャッタ３２は、図１に示すように、筐体２の開口部２ａを塞ぐように構成されている。
【００２９】
スライダ３１の両側板の前方上部の角部には、ピン穴３１ａが設けられている。また、シャッタ３２の両側面の上端部には、ピン穴３２ａが設けられている。各ヒンジピン３３は、それぞれ、ピン穴３１ａ、ねじりコイルばね３４の中心穴、ピン穴３２ａの順に挿入されることで、スライダ３１とシャッタ３２とを回動自在に連結する。
【００３０】
各ねじりコイルばね３４は、開口部２ａを塞ぐ方向にシャッタ３２を付勢するように取り付けられている。より具体的には、各ねじりコイルばね３４は、一端部３４ａがスライダ３１に設けられたカム部（第２カム部）３１ｂに係合し、他端部３４ｂがシャッタ３２の側面に係合するように設けられている。
【００３１】
図４Ａ及び図４Ｂは、蓋３が筐体２の開口部２ａを閉じた状態から開いた状態まで移動する様子を模式的に示す側面図である。図４Ａ及び図４Ｂに示すように、筐体２の側壁には、開口部２ａから離れる奥行き方向Ｘ１に延在するカム溝２ｂが形成されている。図３、図４Ａ、及び図４Ｂに示すように、スライダ３１の筐体２の側壁と対向する位置には、カム溝２ｂに係合して摺動可能な係合ピン３１ｃが設けられている。スライダ３１は、係合ピン３１ｃがカム溝２ｂを摺動することにより奥行き方向Ｘ１の移動をガイドされる。
【００３２】
スライダ３１が奥行き方向Ｘ１に移動するとき、ヒンジピン３３によりスライダ３１に連結されるシャッタ３２も奥行き方向Ｘ１に移動する。このとき、シャッタ３２は、筐体２の前方上端部２ｃに押されてヒンジピン３３を中心に回動しながら奥行き方向Ｘ１に移動する。これにより、開口部２ａが開口される。
【００３３】
本実施の形態にかかるディスクカートリッジ１によれば、蓋３をスライダ３１とシャッタ３２とに分け、それらを回動自在に連結し、スライダ３１が奥行き方向Ｘ１に移動するとき、シャッタ３２が筐体２に押されて回動し、開口部２ａが開口するようにしている。これにより、蓋３は、筐体２の側面に沿うように移動することになり、従来よりも蓋３が回動する空間を小さくすることができる。その結果、装置の薄型化及び小型化を図ることができる。
【００３４】
なお、シャッタ３２がヒンジピン３３を中心に回動するとき、シャッタ３２と筐体２の前方上端部２ｃとの接触部とヒンジピン３３との距離が近いと、シャッタ３２を回動させる負荷が大きくなる。このため、シャッタ３２がヒンジピン３３を中心に回動するとき又は当該回動する前に、前記距離を長くするように構成することが好ましい。これにより、シャッタ３２をスムーズに回動させることができる。具体的な構成の一例については、後で詳しく説明する。
【００３５】
また、筐体２は、図８に示すように、当該スライダ３１が奥行き方向Ｘ１に移動するとき、シャッタ３２と筐体２の前方上端部２ｃとの接触部から離れる方向にスライダ３１を移動させる傾斜面２ｍを備えることが好ましい。これにより、スライダ３１が傾斜面２ｍ上を摺動することで、前記接触部とヒンジピン３３との距離を徐々に長くすることができるとともに、当該距離を維持することができる。なお、傾斜面２ｍは、例えば、奥行き方向Ｘ１に向かうに従い筐体２の厚み方向であって筐体２の内側から外側に向けて傾斜するように形成すればよい。
【００３６】
また、筐体２は、傾斜面２ｍの頂部から奥行き方向Ｘ１の下流側に向けて延在する平坦面２ｎを備え、シャッタ３２が開口部２ａを塞いだ状態のとき（図１参照）、平坦面２ｎとスライダ３１の外表面の一部とが略面一（同一水平面上）にあるように構成することが好ましい。これにより、筐体２の上面に凹凸が生じることを抑えることができるとともに、意匠性を向上させることができる。
【００３７】
なお、筐体２の開口部２ａの近傍は、ディスク４の挿入を阻害しないように構成する必要がある。このため、筐体２の開口部２ａの近傍は、支柱となるものを設けることができず、厚み方向の力に弱い。そこで、シャッタ３２は、開口部２ａを塞いだ状態（以下、閉塞状態という）のとき、筐体２が厚み方向に撓むのを抑える突っ張り部として機能するように構成することが好ましい。例えば、図５に示すように、筐体２の前方下部の角部又はシャッタ３２の下端部の少なくとも一方に段差部２ｄ，３２ｂを設け、シャッタ３２が開塞状態のとき、筐体２とシャッタ３２とが段差部２ｄ，３２ｂで嵌合するように構成することが好ましい。これにより、筐体２の厚み方向に加わる力に対する強度を向上させることができる。
【００３８】
また、シャッタ３２の開口部２ａを塞ぐ側の面（内面）には、図６及び図７に示すように、筐体２の厚み方向に延在するように１つ以上のリブ３２ｃが設けられることが好ましい。これにより、筐体２の厚み方向に加わる力に対する強度を更に向上させることができる。
【００３９】
なお、本実施の形態において、筐体２は、図８に示すように、上ケース２Ａと下ケース２Ｂとにより構成されている。図６及び図７は、下ケース２Ｂにシャッタ３２を取り付けた状態を示す斜視図である。
【００４０】
図６及び図７に示すように、下ケース２Ｂの底壁には、シャッタ３２を閉塞状態で保持するためのロックアーム２１が、回動軸２１ａを中心に回動自在に取り付けられている。ロックアーム２１の先端部には、シャッタ３２の内面の下端部に設けられたフック３２ｄと係合可能なフック２１ｂが設けられている。本実施の形態においては、図７に示すように、ロックアーム２１のフック２１ｂとシャッタ３２のフック３２ｄとが係合することで、シャッタ３２が閉塞状態で保持（ロック）されるようにしている。
【００４１】
また、下ケース２Ｂの底壁には、ロックアーム２１のフック２１ｂとシャッタ３２のフック３２ｄとが係合する位置（図７参照）に位置するように、ロックアーム２１を付勢するねじりコイルばね２２が設けられている。
【００４２】
なお、ロックアーム２１のフック２１ｂとシャッタ３２のフック３２ｄとを確実に係合させるためには、当該係合させる際にシャッタ３２が開口部２ａを塞ぐ所定の位置に位置することが求められる。このため、シャッタ３２が開口部２ａを塞ぐ方向に回動するとき又は当該回動する前に、ねじりコイルばね３４の付勢力を増加させる付勢力増加部を備えることが好ましい。これにより、開口部２ａを塞ぐ所定の位置にシャッタ３２を位置させ、ロックアーム２１のフック２１ｂとシャッタ３２のフック３２ｄとを確実に係合させることができる。
【００４３】
このような付勢力増加部は、例えば、図９に示すような、第１カム部２ｅと、第２カム部３１ｂとにより構成することができる。第１カム部２ｅは、ねじりコイルばね３４の一端部３４ａと係合するように筐体２の側壁に設けられている。第２カム部３１ｂは、ねじりコイルばね３４の一端部３４ａと係合するようにスライダ３１の側壁に設けられている。第１カム部２ｅと第２カム部３１ｂとは、スライダ３１が奥行き方向Ｘ１に予め設定された距離以上移動されたとき、ねじりコイルばね３４の付勢力が増加する方向（図９では時計回り）にねじりコイルばね３４の一端部３４ａを移動させるように構成されている。
【００４４】
なお、図６及び図７に示すように、下ケース２Ｂの側壁よりも外側の底壁には、貫通穴２ｆとストッパ２ｇとが設けられている。貫通穴２ｆは、図３に示すようにスライダ３１の後端側に設けられた突起部３１ｄを挿入可能に設けられている。突起部３１ｄが貫通穴２ｆに挿入されることにより、筐体２に対するスライダ３１の相対移動がロックされる。また、ストッパ２ｇは、突起部３１ｄが貫通穴２ｆ内に位置するとき、図３に示すようにスライダ３１の後端部に設けられた突起部３１ｄと接触するように設けられている。
【００４５】
次に、本実施の形態にかかるディスクカートリッジ１に収納されたディスク４に対して情報の記録又は再生を行うディスク装置６の構成について説明する。図１０は、ディスク装置６の斜視図である。図１１は、ディスク装置６内にディスクカートリッジ１が挿入される途中の状態を示す斜視図である。図１２は、ディスク装置６内にディスクカートリッジ１が挿入された状態を示す斜視図である。なお、ディスク装置６は、正面から見て（図１０の左下から右上に向かって見て）略左右対称に構成されている。ディスク装置６の左右において同一又は類似の構成である部分については、いずれか一方について説明し、いすれか他方の説明は適宜省略する。
【００４６】
ディスク装置６は、筐体を構成する上板６Ａと下ケース６Ｂとを備えている。ディスク装置６の前面には、図１０に示すように、ディスクカートリッジ１が挿入される開口部６ａが設けられている。ディスクカートリッジ１は、蓋３側を先頭にして、図１１及び図１２に示すようにディスク装置６内へ挿入される。ディスク装置６の開口部６ａから離れた装置奥側には、スピンドルモータや光ピックアップなどを備えるディスクドライブ（図示せず）が搭載されている。ディスクドライブの詳細構成については、ここでは省略する。
【００４７】
図１３は、ディスク装置６の下ケース６Ｂの斜視図である。図１３に示すように、下ケース６Ｂには、それぞれ挿入方向Ｘ２に延在する第１〜第５ガイド突起６１〜６５が設けられている。
【００４８】
第１〜第３ガイド突起６１〜６３は、下ケース６Ｂの両側壁の内面に設けられている。また、第１〜３ガイド突起６１〜６３は、図８に示すようにスライダ３１の両側壁の外面に設けられたガイド溝３１ｆ〜３１ｈ及びディスクカートリッジ１の上ケース２Ａの両側壁の外面に設けられたガイド溝２ｈ〜２ｊを摺動可能に設けられている。
【００４９】
また、第４ガイド突起６４は、下ケース６Ｂの底壁の内面に２つ設けられている。第４ガイド突起６４は、図１４に示すようにディスクカートリッジ１の下ケース２Ｂの底壁の内面に２つ設けられたガイド溝２ｋを摺動可能に設けられている。
【００５０】
また、第５ガイド突起６５は、下ケース６Ｂの底壁の内面に２つ設けられている。第５ガイド突起６５は、図３に示すようにスライダ３１の後端側に設けられた突起部３１ｄと接触可能な位置に設けられている。
【００５１】
また、下ケース６Ｂには、図１３に示すように、ディスクカートリッジ１がディスク装置６内に挿入されるとき、スライダ３１に接触して蓋３の挿入方向Ｘ２の移動を規制するストッパ６６が設けられている。ストッパ６６は、下ケース６Ｂの両側壁の内面に、第１〜第４ガイド突起６４よりも挿入方向Ｘ２の下流側に設けられている。
【００５２】
ディスク装置６内にディスクカートリッジ１が挿入されるとき、第４ガイド突起６４がガイド溝２ｋを移動することでディスクカートリッジ１の挿入方向Ｘ２への移動がガイドされる。また、第２〜第３ガイド突起６２〜６３がガイド溝２ｉ〜２ｊ、３１ｇ〜３１ｈを必要以上のガタツキが発生しないように規制する。
【００５３】
また、ガイド溝２ｋには、図１４に示すように、下ケース２Ｂの底壁に設けたロックアーム２１の一部である接触片２１ｃが、ねじりコイルばね２２に付勢されて突出している。ディスク装置６内にディスクカートリッジ１が挿入された初期においては、図１５に示すように、ロックアーム２１のフック２１ｂとシャッタ３２のフック３２ｄとが係合して、シャッタ３２が閉塞状態で保持される。
【００５４】
その後、ディスクカートリッジ１が更に挿入方向Ｘ２に挿入されると、第４ガイド突起６４が接触片２１ｃに接触してロックアーム２１をねじりコイルばね２２の付勢力に抗してロックアーム２１を回動させる。これにより、図１６に示すように、ロックアーム２１のフック２１ｂとシャッタ３２のフック３２ｄとの係合が解除される。
【００５５】
図１７及び図１８は、ディスク装置６内にディスクカートリッジ１が挿入方向Ｘ２に挿入される途中の状態を一部断面で示す側面図である。図１７は、ディスク装置６の下ケース６Ｂの側壁を透過した状態を示す図であり、図１８は、ディスク装置６の下ケース６Ｂの側壁及びディスクカートリッジ１の上ケース２Ａの側壁を透過した状態を示す図である。
【００５６】
図１７及び図１８に示す状態からディスクカートリッジ１が更に挿入方向Ｘ２に挿入されると、図１９に示すように、スライダ３１がストッパ６６に接触する。また、図２０に示すように、第５ガイド突起６５が突起部３１ｄを貫通穴２ｆから押し出すとともに、スライダ３１の後端部３１ｅとストッパ２ｇとが非接触になる。
【００５７】
スライダ３１がストッパ６６に接触することで、スライダ３１の挿入方向Ｘ２の移動が規制される。一方、第５ガイド突起６５が突起部３１ｄを貫通穴２ｆから押し出すとともに、スライダ３１の後端部３１ｅとストッパ２ｇとが非接触になることで、筐体２に対するスライダ３１の相対移動のロックが解除される。すなわち、筐体２は、図１９及び図２０に示す位置から更に挿入方向Ｘ２に移動可能となる。
【００５８】
ここで、ストッパ６６には、図１７及び図１９に示すように、挿入方向Ｘ２に向かうに従い上方に傾斜するカム部６７が設けられている。また、スライダ３１には、ストッパ６６の先端部６６ａが摺動可能な傾斜面３１ｉが形成された切欠部３１ｊが設けられている。
【００５９】
図２１Ａは、スライダ３１がストッパ６６に接触する前における、シャッタ３２と筐体２の前方上端部２ｃとの接触部の近傍の状態を示す側面図である。図２１Ｂは、スライダ３１がストッパ６６に接触した後における、シャッタ３２と筐体２の前方上端部２ｃとの接触部の近傍の状態を示す側面図である。
【００６０】
スライダ３１がストッパ６６に接触するとき、ヒンジピン３３を押し上げるように、ストッパ６６の先端部６６ａがスライダ３１の傾斜面３１ｉを摺動する。これにより、図２１Ｂに示すシャッタ３２と筐体２の前方上端部２ｃとの接触部とヒンジピン３３との距離ｈ２が、図２１Ａに示す当該距離ｈ１よりも長くなる。この状態から、ディスク装置６内にディスクカートリッジ１が更に挿入方向Ｘ２に挿入されると、筐体２の前方上端部２ｃがシャッタ３２を押して、シャッタ３２がヒンジピン３３を中心に回動する。このとき、距離ｈ２が距離ｈ１よりも長いので、シャッタ３２を回動させる負荷を小さくして、シャッタ３２をスムーズに回動させることができる。また、距離ｈ２が長くなるようにヒンジピン３３が移動するとき又は当該移動した後、図８に示す傾斜面２ｍが、スライダ３１（少なくとも矩形の天板）をヒンジピン３３が移動する方向に移動させる。
【００６１】
その後、ディスクカートリッジ１が図１２に示す位置まで更に挿入方向Ｘ２に挿入されると、図２に示すように開口部２ａが完全に開放され、ディスク４をディスクドライブ（図示せず）に向けて搬送することが可能になる。
【００６２】
また、ディスク装置６の上板６Ａには、図２２及び図２３に示すように、スライダ３１を付勢する板バネ６８が設けられている。板バネ６８は、上板６Ａの内面にネジ（図示せず）により片持ち状態で取り付けられている。板バネ６８は、ディスクカートリッジ１がディスク装置６内から排出方向Ｘ３に移動されるとき、スライダ３１の排出方向Ｘ３への移動を規制するストッパとして機能する段差部６８ａを備えている。
【００６３】
図２２に示す状態からディスクカートリッジ１が更に排出方向Ｘ３に移動されると、段差部６８ａによりスライダ３１の排出方向Ｘ３への移動が規制される一方で、筐体２の前方上端部２ｃが排出方向Ｘ３に移動する。これに伴い、シャッタ３２が、ヒンジピン３３を中心に回動して開口部２ａを塞ぐ。このとき、図２１Ａに示すように、シャッタ３２と筐体２の前方上端部２ｃとの接触部とヒンジピン３３との距離が短くなる（ｈ２→ｈ１）ように、蓋３が下方に移動する。その結果、板バネ６８とスライダ３１との位置関係が図２３に示す状態となる。
【００６４】
図２３に示す状態からディスクカートリッジ１が更に排出方向Ｘ３に移動されると、スライダ３１が、板バネ６８の段差部６８ａの下方に移動して板バネ６８の自由端側を押し上げる。
【００６５】
この状態からディスクカートリッジ１が更に排出方向Ｘ３に移動されると、第４ガイド突起６４（図１３参照）がガイド溝２ｋ（図１４参照）を摺動する。これにより、第４ガイド突起６４とロックアーム２１の接触片２１ｃとの接触が解除されると、ねじりコイルばね２２の付勢力により、ロックアーム２１が回動軸２１ａを中心に回動する。その結果、接触片２１ｃがガイド溝２ｋ内の位置（図１４参照）に復帰するとともに、図１５に示すようにロックアーム２１のフック２１ｂとシャッタ３２のフック３２ｄとが係合する。したがって、ディスクカートリッジ１をディスク装置６内から完全に排出された際、シャッタ３２は閉塞状態で保持される。
【００６６】
本実施の形態にかかるディスク装置６によれば、ストッパ６６がスライダ３１の移動を規制した状態で更に筐体２が挿入方向Ｘ２に移動されてシャッタ３２が回動するとき、シャッタ３２と筐体２との接触部からヒンジピン３３を離すカム部６７を備えている。これにより、シャッタ３２を回動させる負荷を小さくして、シャッタ３２をスムーズに回動させることができる。
【００６７】
また、本実施の形態にかかるディスク装置６によれば、ディスクカートリッジ１をディスク装置６から排出する際、開口部２ａを塞ぐ位置にシャッタ３２を移動させるため、板バネ６８によりスライダ３１を付勢するようにしている。開口部２ａを塞ぐ位置にシャッタ３２を確実に移動させるためには、板バネ６８がスライダ３１を付勢する力を大きくする必要がある。一方、ディスクカートリッジ１をディスク装置６内に挿入する際、板バネ６８がスライダ３１を付勢する力が大きいと、当該挿入時の負荷が増加することになる。この矛盾する要求を満たすため、本実施の形態にかかるディスク装置６では、ディスクカートリッジ１の挿入時と排出時とで、板バネ６８と接触するスライダ３１の高さ位置を変えるようにしている。
【００６８】
より具体的には、図２４に示すように、ディスクカートリッジ１が挿入方向Ｘ２に移動するとき、スライダ３１は、カム部６７により持ち上げられる前の低い高さ位置で挿入方向Ｘ２に移動して板バネ６８と接触するようにしている。一方、ディスクカートリッジ１が排出方向Ｘ３に移動するとき、スライダ３１は、カム部６７により持ち上げられ後の高い高さ位置で排出方向Ｘ３に移動して板バネ６８と接触するようにしている。これにより、ディスクカートリッジ１をディスク装置６内に挿入するときには、板バネ６８の付勢力を小さくすることができる。一方、ディスクカートリッジ１をディスク装置６内から排出するときには、板バネ６８の付勢力を大きくして、開口部２ａを塞ぐ位置にシャッタ３２を確実に移動させることができる。
【００６９】
以上のように、本出願において開示する技術の例示として、実施の形態を説明した。しかしながら、本開示における技術は、これに限定されず、適宜、変更、置き換え、付加、省略などを行った実施の形態にも適用可能である。例えば、前記実施の形態では、ディスクカートリッジ１は、複数枚のディスク４を収納するものとしたが、本開示における技術はこれに限定されない。ディスクカートリッジ１は、１枚のディスク４を収納するものであってもよい。
【００７０】
また、前記実施の形態では、ストッパ６６とカム部６７と一体的に構成したが、本開示における技術はこれに限定されない。ストッパ６６とカム部６７とは別々に設けられてもよい。
【００７１】
また、前記実施の形態では、スライダ３１を付勢する板バネ６８をディスク装置６の上板６Ａに設けたが、本開示における技術はこれに限定されない。例えば、板バネ６８と同一の機能を有する板バネを、ディスク装置６の下ケース６Ｂの内側面（例えば、第２ガイド突起６２の近傍）に設けてもよい。この場合、板バネが摺動することによりディスクカートリッジ１の表面が擦れて傷付いた場合であっても、当該傷がユーザによって見えやすいディスクカートリッジ１の上面には形成されないので、当該傷の存在を目立たなくすることができる。また、当該板バネは、ディスク装置６の下ケース６Ｂの内側面に略Ｕ字状の貫通穴を開けることにより形成されてもよい。この場合、板バネを別部品として用意する必要がないので、部品点数を削減することができる。
【００７２】
また、前記実施の形態では、筐体２の上ケース２Ａの上面に傾斜面２ｍを設けるとともに、当該傾斜面２ｍの頂部から奥行き方向Ｘ１の下流側に向けて延在する平坦面２ｎを設けたが、当該傾斜面２ｍ及び平坦面２ｎの形状は、図８に示す形状に限定されない。例えば、傾斜面２ｍ１と平坦面２ｎ１とは、図２５に示すような形状であってもよい。なお、この場合、シャッタ３２の開口部２ａを塞ぐ側の面に設けたリブ３２ｃに接触しないように、凹部２ｐを設けることが好ましい。
【００７３】
また、前記実施の形態では、突っ張り部の一例として、図５に示すように、筐体２の前方下部の角部に設けた段差部２ｄとシャッタ３２の下端部に設けた段差部３２ｂとを係合させる構成について説明したが、本開示における技術はこれに限定されない。例えば、図２６〜図２８に示すように、筐体２の前方下部の角部近傍の上面に凹部２ｑを設けるとともにシャッタ３２の下端部に凸部３２ｅを設け、シャッタ３２が開口部２ａを塞いだ状態のとき、凹部２ｑと対向する位置に凸部３２ｅが位置するように構成してもよい。この構成によれば、筐体２の厚み方向に力が加わったときに凸部３２ｅが凹部２ｑに侵入することで、シャッタ３２を突っ張り部として機能させることができる。また、このとき、筐体２の厚み方向と交差する方向に力が加わったとしても、凸部３２ｅが凹部２ｑに侵入していることにより、当該交差する方向にシャッタ３２がずれることを抑えることができる。これにより、より確実にシャッタ３２を突っ張り部として機能させることができる。
【００７４】
なお、前記では、筐体２の前方下部の角部近傍の上面に凹部２ｑを設けるとともにシャッタ３２の下端部に凸部３２ｅを設けるものとしたが、凹部と凸部との関係は逆であってもよい。すなわち、シャッタ３２又は筐体２のいずれか一方に凹部が設けられ、シャッタ３２又は筐体２のいずれか他方に凸部が設けられればよい。
【００７５】
また、シャッタ３２を開口部２ａを塞ぐ位置で位置決めするため、図２６及び図２７に示すように、スライダ３１に係止部３１ｋを設けるとともに、シャッタ３２に被係止部３２ｆを設けてもよい。
【産業上の利用可能性】
【００７６】
本開示のディスクカートリッジ及びディスク装置は、装置の薄型化及び小型化を図ることができるので、特に、ディスクカートリッジに収納されたディスクに対して情報の記録又は再生を行うディスク装置に有用である。
【００７７】
２０１３年４月１６日に出願された日本国特許出願Ｎｏ．２０１３−８５７８２号の明細書、図面、および特許請求の範囲の開示内容は、全体として参照されて本明細書の中に取り入れられるものである。
【符号の説明】
【００７８】
１      ディスクカートリッジ
２      筐体
２Ａ    上ケース
２Ｂ    下ケース
２ａ    開口部
２ｂ    カム溝
２ｃ    前方上端部
２ｄ    段差部
２ｅ    第１カム部
２ｆ    貫通穴
２ｇ    ストッパ
２ｈ〜２ｋ    ガイド溝
２ｍ    傾斜面
２ｎ    平坦面
２ｐ，２ｑ    凹部
３      蓋
４      ディスク
５      ディスクホルダ
６      ディスク装置
６Ａ    上板
６Ｂ    下ケース
６ａ    開口部
２１      ロックアーム
２１ａ    回動軸
２１ｂ    フック
２１ｃ    接触片
２２      ねじりコイルばね
３１      スライダ
３１ａ    ピン穴
３１ｂ    第２カム部
３１ｃ    係合ピン
３１ｄ    突起部
３１ｅ    後端部
３１ｆ〜３１ｈ    ガイド溝
３１ｉ    傾斜面
３１ｊ    切欠部
３１ｋ    係止部
３２      シャッタ
３２ａ    ピン穴
３２ｂ    段差部
３２ｃ    リブ
３２ｄ    フック
３２ｅ    凸部
３２ｆ    被係止部
３３      ヒンジピン
３４      ねじりコイルばね
３４ａ    一端部
３４ｂ    他端部
６１      第１ガイド突起
６２      第２ガイド突起
６３      第３ガイド突起
６４      第４ガイド突起
６５      第５ガイド突起
６６      ストッパ
６６ａ    先端部
６７      カム部
６８      板バネ
６８ａ    段差部
【手続補正３】
【補正対象書類名】図面
【補正対象項目名】全図
【補正方法】変更
【補正の内容】
【図１】
2014171137.tif 000035
【図２】
2014171137.tif 000036
【図３】
2014171137.tif 000037
【図４Ａ】
2014171137.tif 000038
【図４Ｂ】
2014171137.tif 000039
【図５】
2014171137.tif 000040
【図６】
2014171137.tif 000041
【図７】
2014171137.tif 000042
【図８】
2014171137.tif 000043
【図９】
2014171137.tif 000044
【図１０】
2014171137.tif 000045
【図１１】
2014171137.tif 000046
【図１２】
2014171137.tif 000047
【図１３】
2014171137.tif 000048
【図１４】
2014171137.tif 000049
【図１５】
2014171137.tif 000050
【図１６】
2014171137.tif 000051
【図１７】
2014171137.tif 000052
【図１８】
2014171137.tif 000053
【図１９】
2014171137.tif 000054
【図２０】
2014171137.tif 000055
【図２１Ａ】
2014171137.tif 000056
【図２１Ｂ】
2014171137.tif 000057
【図２２】
2014171137.tif 000058
【図２３】
2014171137.tif 000059
【図２４】
2014171137.tif 000060
【図２５】
2014171137.tif 000061
【図２６】
2014171137.tif 000062
【図２７】
2014171137.tif 000063
【図２８】
2014171137.tif 000064
【図２９】
2014171137.tif 000065
【図３０】
2014171137.tif 000066
【手続補正書】
【提出日】平成28年10月12日(2016.10.12)
【手続補正１】
【補正対象書類名】図面
【補正対象項目名】図２５
【補正方法】変更
【補正の内容】
【図２５】
2014171137.tif 000067
【国際調査報告】
2014171137.tif 000068
2014171137.tif 000069